(57)【要約】【課題】ローラチェーンのローラまたはブシュチェーンのブシュがスプロケットの歯と噛み合うときに発生する振動および騒音を低減するとともに、製造コストを低減できるチェーン伝動装置を提供する。【解決手段】標準ローラチェーン１のローラ２がスプロケット３１の歯と噛み合うチェーン伝動装置において、標準ローラチェーン１は均等なチェーンピッチｐを有し、スプロケット３１は大きさの異なる２種類の歯形ピッチｐａ１，ｐａ２を有し、かつこれらの歯形ピッチｐａ１，ｐａ２は、２個の歯形ピッチｐａ１と１個の歯形ピッチｐａ２を一組として順次時計回り方向にピッチ円ｐｃの円周方向に沿って配列されている。【選択図】図１
2008019881.tif 000002
【特許請求の範囲】
【請求項１】
ローラチェーンのローラまたはブシュチェーンのブシュがスプロケットの歯と噛み合うチェーン伝動装置において、
前記ローラチェーンまたはブシュチェーンは均等なチェーンピッチを有し、
前記スプロケットは大きさの異なる少なくとも２種類の歯形ピッチを有し、かつ該歯形ピッチはピッチ円の円周方向に沿って不規則に配列されていることを特徴とするチェーン伝動装置。
【発明の詳細な説明】
【技術分野】
【０００１】
本発明は、ローラチェーンのローラまたはブシュチェーンのブシュがスプロケットの歯と噛み合うときに発生する騒音を低減するチェーン伝動装置に関するものである。
【背景技術】
【０００２】
従来、ローラチェーンのローラまたはブシュチェーンのブシュがスプロケットの歯と噛み合うチェーン伝動装置においては、後述する日本工業規格（ＪＩＳ）に規定する伝動用ローラチェーン及びブシュチェーンとスプロケットが使用される場合が多い。
【０００３】
日本工業規格（ＪＩＳ）には、ＪＩＳ  Ｂ１８０１−１９９７（伝動用ローラチェーン及びブシュチェーン）の規定があり、その付属書２（スプロケットの形状及び寸法）にスプロケットの歯形（Ｓ歯形、Ｕ歯形及びＩＳＯ歯形）が規定されている。ＪＩＳ  Ｂ１８０１−１９９７（伝動用ローラチェーン及びブシュチェーン）の付属書２（スプロケットの形状及び寸法）には、次式が記載されている。
【０００４】
ｐａ＝ｐ（１＋（ｄｓ−ｄ１）／ｄ）
なお、前記式において、ｐａは歯形ピッチ（Ｓ歯形のａ−ａ，Ｕ歯形のｅ−ｅ）、ｐはチェーンピッチ、ｄｓは歯底部円弧の直径、ｄ１はローラ外径、ｄはピッチ円直径である（非特許文献１参照）。
【非特許文献１】ＪＩＳ  Ｂ１８０１−１９９７
【０００５】
以下、本明細書において、標準ローラチェーン及び標準ブシュチェーンとは、ＪＩＳ  Ｂ１８０１−１９９７（伝動用ローラチェーン及びブシュチェーン）に規定される伝動用ローラチェーン及びブシュチェーンを意味し、また、標準スプロケットとは、その付属書２（スプロケットの形状及び寸法）に規定されるＳ歯形またはＵ歯形を有するスプロケットを意味する。
【０００６】
次に、標準ローラチェーンと、標準スプロケットの概略について以下に説明する。
【０００７】
標準ローラチェーンは、２本のブシュの両端が一対の内プレートのブシュ孔にそれぞれ圧入されるとともに外径ｄ１のローラがブシュの外周に回転自在に嵌めこまれた内リンクと、ブシュ内に回転自在に挿入された２本のピンの両端が一対の内プレートの両外側に配置された一対の外プレートのピン孔にそれぞれ圧入された外リンクとを有し、内リンクと外リンクがピンにより相互に屈曲可能に連結されたものである。そして、標準ローラチェーンは均等なチェーンピッチｐ（各ローラの中心間の距離）を有している。
【０００８】
標準スプロケットについては、後述する図４を参照して説明する。標準スプロケットは、スプロケットの回転中心ｏと歯底部の中心とを結ぶ歯底部の中心線（歯底部中心線）ｘに対して歯底部と歯底部に連続する歯面とが左右対称に形成されている。そして、各歯底部中心線ｘとピッチ円ｐｃとの交点をａとすると、隣り合う歯底部中心線ｘがなす歯のピッチ角θは、ピッチ円ｐｃ上の２つの交点ａ，ａの中心角であるから、スプロケットの歯数ｚにより決まり、歯のピッチ角θ＝３６０°／ｚである。また、歯形ピッチｐａは各歯底部中心線ｘとピッチ円ｐｃとの交点ａ，ａ間の距離である。したがって、歯形ピッチｐａは歯のピッチ角θに対応する弦の長さである。標準スプロケットは、歯のピッチ角θが全て等しいから、均等な歯形ピッチｐａがピッチ円ｐｃの円周方向に沿って配列されている。また、歯形ピッチｐａは、前記式ｐａ＝ｐ（１＋（ｄｓ−ｄ１）／ｄ）が示すように、チェーンピッチｐと一定の関係にある。
【０００９】
また、従来、ローラチェーンのローラがスプロケットに噛み合うときに発生する騒音を低減するローラチェーン伝動装置として、次のようなものが提案されている。すなわち、ローラチェーンと、当該ローラチェーンと噛み合う歯形を有するスプロケットとからなるローラチェーン伝動装置において、スプロケットは、歯形の異なる第１の歯と第２の歯を少なくとも有し、第１の歯と第２の歯が不規則に、且つ、第１の歯が連続することなく配列していると共に、第２の歯の数が第１の歯の数の４倍を越えないものである、ローラチェーン伝動装置が提案されている（特許文献１参照）。
【特許文献１】特開２００５−１６３８０６号公報
【発明の開示】
【発明が解決しようとする課題】
【００１０】
図４は従来のチェーン伝動装置の標準ローラチェーン１と標準スプロケット３の噛み合い状態の一部を示す正面図である。
【００１１】
図４に示す標準ローラチェーン１は、前述したような構成を有している。そして、標準ローラチェーン１は均等なチェーンピッチｐ（各ローラ２の中心ｏ１間の距離）を有している。ただし、図４には、標準ローラチェーン１を構成する部品のうちローラ２のみを図示し、ブシュ、内プレート、内リンク、ピン、外プレート、外リンクは図示を省略している。
【００１２】
図４に示す標準スプロケット３は、前述したような構成を有している。そして、標準スプロケット３は歯数１８の駆動側スプロケットである。歯のピッチ角θは、式θ＝３６０°／ｚで決まるから、歯数１８の駆動側スプロケット３の歯のピッチ角θは２０°である。また、前述したように、歯形ピッチｐａは各歯底部中心線ｘとピッチ円ｐｃとの交点ａ，ａ間の距離であり、歯のピッチ角θに対応する弦の長さである。したがって、標準スプロケット３は、歯のピッチ角θ（２０°）が全て等しく、均等な歯形ピッチｐａがピッチ円ｐｃの円周方向に沿って配列されている。
【００１３】
図４を参照して、従来のチェーン伝動装置の標準ローラチェーン１と標準スプロケット３の噛み合い状態を以下に説明する。
【００１４】
標準スプロケット３が時計回り方向に回転すると、ローラ２の噛み始め部において、既に歯底部に着差して支持されている先行ローラ２の中心ｏ１を中心としチェーンピッチｐを半径として後続ローラ２が相対的に運動し、標準スプロケット３の歯底部に衝突する。その際、後続ローラ２は歯底部の中心近傍に略直角に衝突するので、後続ローラ２の噛み始め時において、後続ローラ２の運動エネルギーが緩衝されることなく歯底部に伝わる。そのため、後続ローラ２の噛み始め時の振動及び騒音が大きくなる、という問題点がある。
【００１５】
また、歯形ピッチｐａは前記式ｐａ＝ｐ（１＋（ｄｓ−ｄ１）／ｄ）が示すように、チェーンピッチｐと一定の関係にあるので、各後続ローラ２の噛み始め時に、各後続ローラ２は標準スプロケット３の歯と○印で示す同じ当接位置ｔで当接する。したがって、各後続ローラ２の標準スプロケット３の歯と噛み始めるタイミングは常に一致している。そのため、回転数に応じた特定の噛み合い周波数の振動及び騒音が大きくなる、という問題点がある。
【００１６】
図５は図４に示す従来のチェーン伝動装置の騒音測定の結果を示すグラフである。この従来のチェーン伝動装置の騒音測定は、歯数１８の標準スプロケット３を駆動側スプロケットとし、歯数３６の標準スプロケットを従動側スプロケットとして、駆動側標準スプロケット３と従動側標準スプロケットに標準ローラチェーン１を巻き掛けて駆動側標準スプロケット３の回転速度を５００〜５，０００ｒ．ｐ．ｍの間で変化させ、駆動側標準スプロケット３の騒音を測定した。
【００１７】
図５によれば、オーバオール（ＯＡ）音と各回転次数音が接近している（すなわち、両者の間の面積Ｓ１が小さい）。そのため、図４に示す従来のチェーン伝動装置は、各回転次数音が目立ち耳につく、という問題点がある。なお、オーバオール（ＯＡ）音とは、チェーン伝動装置の全体の騒音のことである。
【００１８】
また、前記特開２００５−１６３８０６号公報に開示されたローラチェーン伝動装置は、歯形の異なる第１の歯と第２の歯を少なくとも有するスプロケットを使用しているので、歯形が複雑であり、その製造コストが増加する、という問題点がある。
【００１９】
そこで、本発明は、ローラチェーンのローラまたはブシュチェーンのブシュがスプロケットの歯と噛み合うときに発生する振動および騒音を低減するとともに、製造コストを低減できるチェーン伝動装置を提供することを課題とするものである。
【課題を解決するための手段】
【００２０】
請求項１記載の発明は、前記課題を解決するために、ローラチェーンのローラまたはブシュチェーンのブシュがスプロケットの歯と噛み合うチェーン伝動装置において、前記ローラチェーンまたはブシュチェーンは均等なチェーンピッチを有し、前記スプロケットは大きさの異なる少なくとも２種類の歯形ピッチを有し、かつ該歯形ピッチはピッチ円の円周方向に沿って不規則に配列されているものである。
【発明の効果】
【００２１】
請求項１記載の発明によれば、ローラチェーンのローラまたはブシュチェーンのブシュがスプロケットの歯と噛み合うチェーン伝動装置において、前記ローラチェーンまたはブシュチェーンは均等なチェーンピッチを有し、前記スプロケットは大きさの異なる少なくとも２種類の歯形ピッチを有し、かつ該歯形ピッチはピッチ円の円周方向に沿って不規則に配列されているので、前記ローラまたはブシュの前記スプロケットへの噛み合い時に前記ローラまたはブシュの運動エネルギーが緩衝され、当接による衝撃が少なく、前記ローラまたはブシュの噛み合い音が低減される。また、前記ローラまたはブシュの前記スプロケットへ噛み合い時に前記ローラまたはブシュの衝突あるいは当接のタイミングがずれるので、歯数によって決まる次数の振動及び騒音が低減される。また、オーバオール（ＯＡ）音と各回転次数音の開きが大きく、耳につく騒音が低減される。さらに、前記スプロケットは、標準スプロケットと比較して歯のピッチ角が相違するだけであるので、焼結により容易に製作することができ、製造コストを低減できる。
【発明を実施するための最良の形態】
【００２２】
本発明のチェーン伝動装置の最良の形態としては、標準ローラチェーンのローラがスプロケットの歯と噛み合うチェーン伝動装置であって、その構成は以下のとおりである。すなわち、標準ローラチェーン１のローラ２がスプロケット３１の歯と噛み合うチェーン伝動装置において、標準ローラチェーン１は均等なチェーンピッチｐを有し、スプロケット３１は大きさの異なる２種類の歯形ピッチｐａ１，ｐａ２を有し、かつこれらの歯形ピッチｐａ１，ｐａ２は、２個の歯形ピッチｐａ１と１個の歯形ピッチｐａ２を一組として順次時計回り方向にピッチ円ｐｃの円周方向に沿って配列されているものである。その各実施例を以下に説明する。
【実施例１】
【００２３】
本発明の実施例１に係るチェーン伝動装置を図１、図２を参照して以下に説明する。図１は本発明の実施例１に係るチェーン伝動装置の標準ローラチェーンとスプロケットの噛み合い状態の一部を示す正面図である。図２は本発明の実施例１に係るチェーン伝動装置の騒音測定の結果を示すグラフである。
【００２４】
本発明の実施例１に係るチェーン伝動装置は、図１に示すように、標準ローラチェーン１と、標準ローラチェーン１のローラ２が歯に噛み合うスプロケット３１とを有する。
【００２５】
標準ローラチェーン１は、前述したように、２本のブシュの両端が一対の内プレートのブシュ孔にそれぞれ圧入されるとともに外径ｄ１のローラ２がブシュの外周に回転自在に嵌めこまれた内リンクと、ブシュ内に回転自在に挿入された２本のピンの両端が一対の内プレート両外側に配置された一対の外プレートのピン孔にそれぞれ圧入された外リンクとを有し、内リンクと外リンクがピンにより相互に屈曲可能に連結されたものである。ただし、図１には、標準ローラチェーン１を構成する部品のうちローラ２のみを図示し、ブシュ、内プレート、内リンク、ピン、外プレート、外リンクは図示を省略している。そして、標準ローラチェーン１は均等なチェーンピッチｐ（各ローラ２の中心ｏ１間の距離）を有している。
【００２６】
スプロケット３１は、図１に示すように、スプロケット３１の回転中心ｏと歯底部の中心とを結ぶ歯底部の中心線（歯底部中心線）ｘに対して歯底部と歯底部に連続する歯面とが左右対称に形成されている。スプロケット３１は歯数１８の駆動側スプロケットである。そして、前述した図４に示す標準スプロケット３が歯のピッチ角θ（２０°）が全て等しいのに対して、スプロケット３１は、以下に述べるように、大きさの異なる２種類の歯のピッチ角を有する点で相違している。以下の説明の便宜上、式θ＝３６０°／ｚで決まる歯のピッチ角θを標準ピッチ角θという。
【００２７】
スプロケット３１は大きさの異なる２種類の歯のピッチ角θ−Δθ，θ＋２Δθを有している。すなわち、歯のピッチ角θ−Δθは標準ピッチ角θより角度Δθだけ小さいものであり、歯のピッチ角θ＋２Δθは標準ピッチ角θより２倍の角度Δθだけ大きいものである。そして、Δθは標準ピッチ角θの１／４以下（すなわち、Δθ＜θ／４）であることが必要である。これはローラ２との噛合いが許容できるのに必要な範囲である。具体的には、スプロケット３１は歯数ｚが１８であるから、標準ピッチ角θは式θ＝３６０°／ｚにより２０°であり、ΔθはΔθ＜θ／４によりΔθ＜５°である。また、２種類の歯のピッチ角θ−Δθ及びθ＋２Δθの全ての合計は２πすなわち３６０°である。
【００２８】
そして、スプロケット３１は、図１に示すように、これらの２種類の歯のピッチ角θ−Δθ，θ＋２Δθは、２個の歯のピッチ角θ−Δθと１個の歯のピッチ角θ＋２Δθを一組として順次時計回り方向に配列されている。また、歯形ピッチｐａ１は歯のピッチ角θ−Δθに対応する弦の長さであり、歯形ピッチｐａ２は歯のピッチ角θ＋２Δθに対応する弦の長さである。したがって、スプロケット３１は、大きさの異なる２種類の歯形ピッチｐａ１，ｐａ２を有し、かつこれらの歯形ピッチｐａ１，ｐａ２は、２個の歯形ピッチｐａ１と１個の歯形ピッチｐａ２を一組として順次時計回り方向にピッチ円ｐｃの円周方向に沿って配列されている。
【００２９】
図１を参照して、本発明の実施例１に係るチェーン伝動装置の標準ローラチェーン１とスプロケット３１の噛み合い状態を以下に説明する。
【００３０】
標準ローラチェーン１は均等なチェーンピッチｐを有しており、さらに、スプロケット３１は大きさの異なる２種類の歯形ピッチｐａ１，ｐａ２を有し、かつこれらの歯形ピッチｐａ１，ｐａ２は、２個の歯形ピッチｐａ１と１個の歯形ピッチｐａ２を一組として順次時計回り方向にピッチ円ｐｃの円周方向に沿って配列されているので、スプロケット３１が時計回り方向に回転すると、各ローラ２の噛み始め部において、既に歯底部に着差して支持されている先行ローラ２の中心ｏ１を中心としチェーンピッチｐを半径として後続ローラ２が相対的に運動し、○印で示す当接位置ｔでスプロケット３１の歯底部または歯面に当接する。そして、歯面に当接する場合は、後続ローラ２は歯面のほぼ接線方向から当接するため、後続ローラ２の運動エネルギーが緩衝され、当接による衝撃が少ない。したがって、その分、後続ローラの噛み合い音が低減されることになる。
【００３１】
また、標準ローラチェーン１は均等なチェーンピッチｐを有しており、さらに、スプロケット３１は大きさの異なる２種類の歯形ピッチｐａ１，ｐａ２を有し、かつこれらの歯形ピッチｐａ１，ｐａ２は、２個の歯形ピッチｐａ１と１個の歯形ピッチｐａ２を一組として順次時計回り方向にピッチ円ｐｃの円周方向に沿って配列されているので、各後続ローラ２の噛み始め時において、各後続ローラ２のスプロケット３１の歯への当接位置ｔがスプロケット３１の回転に伴って変化する。したがって、各後続ローラ２の衝突あるいは当接のタイミングがずれる。その結果、歯数によって決まる次数の振動及び騒音が低減される。
【００３２】
図２は本発明の実施例１に係るチェーン伝動装置の騒音測定の結果を示すグラフである。この本発明の実施例１に係るチェーン伝動装置の騒音測定は、歯数１８のスプロケット３１を駆動側スプロケットとし、歯数３６の標準スプロケットを従動側スプロケットとして、駆動側スプロケット３１と従動側スプロケットに標準ローラチェーン１を巻き掛けて駆動側スプロケット３１の回転速度を５００〜５，０００ｒ．ｐ．ｍの間で変化させ、駆動側スプロケット３１の騒音を測定した。
【００３３】
図２によれば、オーバオール（ＯＡ）音と各回転次数音が、従来の図５に示すものに比して離れている（すなわち、両者の間の面積Ｓ２が大きい）。そのため、本発明の実施例１に係るチェーン伝動装置は、図４に示す従来のチェーン伝動装置が有する各回転次数音が耳につくという問題点が改善されている。
【００３４】
本発明の実施例１に係るチェーン伝動装置によれば、次のような効果を有する。標準ローラチェーン１は均等なチェーンピッチｐを有しており、さらに、スプロケット３１は大きさの異なる２種類の歯形ピッチｐａ１，ｐａ２を有し、かつこれらの歯形ピッチｐａ１，ｐａ２は、２個の歯形ピッチｐａ１と１個の歯形ピッチｐａ２を一組として順次時計回り方向にピッチ円ｐｃの円周方向に沿って配列されているので、ローラ２のスプロケット３１への噛み合い時にローラ２の運動エネルギーが緩衝され、当接による衝撃が少なく、ローラ２の噛み合い音が低減される。また、ローラ２のスプロケット３１への噛み合い時にローラ２の衝突あるいは当接のタイミングがずれるので、歯数によって決まる次数の振動及び騒音が低減される。また、オーバオール（ＯＡ）音と各回転次数音の開きが大きく、耳につく騒音が低減される。さらに、スプロケット３１は、標準スプロケット３と比較して歯のピッチ角が相違するだけであるので、焼結により容易に製作することができ、製造コストを低減できる。
【実施例２】
【００３５】
次に、本発明の実施例２に係るチェーン伝動装置を図３を参照して以下に説明する。図３は本発明の実施例２に係るチェーン伝動装置の標準ローラチェーンとスプロケットの噛み合い状態の一部を示す正面図である。
【００３６】
本発明の実施例２に係るチェーン伝動装置は、図３に示すように、標準ローラチェーン１と、標準ローラチェーン１のローラ２が歯に噛み合うスプロケット４１とを有する。
【００３７】
標準ローラチェーン１は、本発明の実施例１に関して前述したとおりであるので、その説明は省略する。
【００３８】
スプロケット４１は、前述した本発明の実施例１が大きさの異なる２種類の歯のピッチ角θ−Δθ，θ＋２Δθを有するのに対して、大きさの異なる３種類の歯のピッチ角を有する点だけが相違している。前述したように、以下の説明の便宜上、式θ＝３６０°／ｚで決まる歯のピッチ角θを標準ピッチ角θという。
【００３９】
スプロケット４１は大きさの異なる３種類の歯のピッチ角θ（標準ピッチ角θ），θ＋Δθ，θ−Δθを有している。すなわち、歯のピッチ角θ＋Δθは標準ピッチ角θより角度Δθだけ大きいものであり、歯のピッチ角θ−Δθは標準ピッチ角θより角度Δθだけ小さいものである。そして、前述したように、Δθは標準ピッチ角θの１／４以下（すなわち、Δθ＜θ／４）であることが必要である。これはローラ２との噛合いが許容できるのに必要な範囲である。具体的には、スプロケット４１は、前述した実施例１のスプロケット３１と同様に歯数１８の駆動側スプロケットであるから、標準ピッチ角θは式θ＝３６０°／ｚにより２０°であり、ΔθはΔθ＜θ／４によりΔθ＜５°である。また、３種類の歯のピッチ角θ（標準ピッチ角θ），θ＋Δθ，θ−Δθの全ての合計は２πすなわち３６０°である。
【００４０】
そして、スプロケット４１は、図３に示すように、これらの３種類の歯のピッチ角θ（標準ピッチ角θ），θ＋Δθ，θ−Δθは、１個の歯のピッチ角θ（標準ピッチ角θ）と１個の歯のピッチ角θ＋Δθと１個の歯のピッチ角θ−Δθを一組として順次時計回り方向に配列されている。また、歯形ピッチｐａは歯のピッチ角θ（標準ピッチ角θ）に対応する弦の長さであり、歯形ピッチｐａ３は歯のピッチ角θ＋Δθに対応する弦の長さであり、歯形ピッチｐａ１は歯のピッチ角θ−Δθに対応する弦の長さである。したがって、スプロケット４１は、大きさの異なる３種類の歯形ピッチｐａ，ｐａ３，ｐａ１を有し、かつこれらの歯形ピッチｐａ，ｐａ３，ｐａ１は、１個の歯形ピッチｐａと１個の歯形ピッチｐａ３と１個の歯形ピッチｐａ１を一組として順次時計回り方向にピッチ円ｐｃの円周方向に沿って配列されている。
【００４１】
図３を参照して、本発明の実施例２に係るチェーン伝動装置の標準ローラチェーン１とスプロケット４１の噛み合い状態を以下に説明する。
【００４２】
標準ローラチェーン１は均等なチェーンピッチｐを有しており、さらに、スプロケット４１は大きさの異なる３種類の歯形ピッチｐａ，ｐａ３，ｐａ１を有し、かつこれらの歯形ピッチｐａ，ｐａ３，ｐａ１は、１個の歯形ピッチｐａと１個の歯形ピッチｐａ３と１個の歯形ピッチｐａ１を一組として順次時計回り方向にピッチ円ｐｃの円周方向に沿って配列されているので、スプロケット４１が時計回り方向に回転すると、各ローラ２の噛み始め部において、既に歯底部に着差して支持されている先行ローラ２の中心ｏ１を中心としチェーンピッチｐを半径として後続ローラ２が相対的に運動し、○印で示す当接位置ｔでスプロケット４１の歯底部または歯面に当接する。そして、歯面に当接する場合は、後続ローラ２は歯面のほぼ接線方向から当接するため、後続ローラ２の運動エネルギーが緩衝され、当接による衝撃が少ない。したがって、その分、後続ローラの噛み合い音が低減されることになる。
【００４３】
また、標準ローラチェーン１は均等なチェーンピッチｐを有しており、さらに、スプロケット４１は大きさの異なる３種類の歯形ピッチｐａ，ｐａ３，ｐａ１を有し、かつこれらの歯形ピッチｐａ，ｐａ３，ｐａ１は、１個の歯形ピッチｐａと１個の歯形ピッチｐａ３と１個の歯形ピッチｐａ１を一組として順次時計回り方向にピッチ円ｐｃの円周方向に沿って配列されているので、各後続ローラ２の噛み始め時において、各後続ローラ２のスプロケット４１の歯への当接位置ｔがスプロケット４１の回転に伴って変化する。したがって、各後続ローラ２の衝突あるいは当接のタイミングがずれる。その結果、歯数によって決まる次数の振動及び騒音が低減される。
【００４４】
本発明の実施例２に係るチェーン伝動装置によれば、本発明の実施例１に係るチェーン伝動装置と略同様の効果を有するので、その効果の説明は省略する。
【００４５】
なお、前述した本発明の実施例１においては、スプロケット３１は、大きさの異なる２種類の歯形ピッチｐａ１，ｐａ２を有し、かつこれらの歯形ピッチｐａ１，ｐａ２は、２個の歯形ピッチｐａ１と１個の歯形ピッチｐａ２を一組として順次時計回り方向にピッチ円ｐｃの円周方向に沿って配列されているものとしており、また、前述した本発明の実施例２においては、スプロケット４１は、大きさの異なる３種類の歯形ピッチｐａ，ｐａ３，ｐａ１を有し、かつこれらの歯形ピッチｐａ，ｐａ３，ｐａ１は、１個の歯形ピッチｐａと１個の歯形ピッチｐａ３と１個の歯形ピッチｐａ１を一組として順次時計回り方向にピッチ円ｐｃの円周方向に沿って配列されているものとしているが、請求項１記載の発明は、スプロケットについて大きさの異なる少なくとも２種類の歯形ピッチの配列に関して規則性は必要なく、大きさの異なる少なくとも２種類の歯形ピッチはピッチ円の円周方向に沿って不規則に配列されていればよい。
【００４６】
また、前述した本発明の実施例１においては、大きさの異なる２種類の歯形ピッチｐａ１，ｐａ２を有する例を示し、また、前述した本発明の実施例２においては、大きさの異なる３種類の歯形ピッチｐａ，ｐａ３，ｐａ１を有する例を示しているが、請求項１記載の発明は、ローラまたはブシュの噛み合いが許容できる範囲であれば、スプロケットは３種類以上の歯形ピッチを有するものであってもよい。
【００４７】
また、前述した本発明の実施例１，２においては、スプロケットについて駆動側スプロケットを例に挙げているが、請求項１記載の発明は、スプロケットは従動側スプロケットであってもよい。
【００４８】
また、前述した本発明の実施例１，２においては、標準ローラチェーンを使用した場合を説明しているが、請求項１記載の発明は、標準ローラチェーンの代わりに標準ブシュチェーンを使用する場合にも適用できるものである。
【図面の簡単な説明】
【００４９】
【図１】本発明の実施例１に係るチェーン伝動装置の標準ローラチェーンとスプロケットの噛み合い状態の一部を示す正面図である。
【図２】本発明の実施例１に係るチェーン伝動装置の騒音測定の結果を示すグラフである。
【図３】本発明の実施例２に係るチェーン伝動装置の標準ローラチェーンとスプロケットの噛み合い状態の一部を示す正面図である。
【図４】従来のチェーン伝動装置の標準ローラチェーンと標準スプロケットの噛み合い状態の一部を示す正面図である。
【図５】図４に示す従来のチェーン伝動装置の騒音測定の結果を示すグラフである。
【符号の説明】
【００５０】
１  標準ローラチェーン
２  ローラ
ｄ１  ローラ外径
ｐ  チェーンピッチ
ｏ１  ローラの中心
３  標準スプロケット
θ  歯のピッチ角（標準ピッチ角）
ｐａ  歯形ピッチ
３１  スプロケット
θ−Δθ，θ＋２Δθ  歯のピッチ角
ｐａ１，ｐａ２  歯形ピッチ
４１  スプロケット
θ＋Δθ  歯のピッチ角
ｐａ３  歯形ピッチ
ｚ  スプロケットの歯数
ｏ  スプロケットの回転中心
ｄ  ピッチ円直径
ｐｃ  ピッチ円
ｘ  歯底部中心線
ａ  ピッチ円と歯底部中心線との交点
ｔ  当接位置
【図１】
2008019881.tif 000003
【図２】
2008019881.tif 000004
【図３】
2008019881.tif 000005
【図４】
2008019881.tif 000006
【図５】
2008019881.tif 000007